(57)【特許請求の範囲】
【請求項１】
被写体照明用のストロボ光源が分離されたデジタルカメラが読取原稿を２次元的に読み取るために着脱可能にセットされる読取手段セット部としての読取手段収納部と前記読取原稿をセットする原稿セット部と前記デジタルカメラから分離されたストロボ光源が読取原稿照明用のストロボ光源として着脱可能にセットされる光源セット部としてのストロボ光源収納部とを有する画像読取装置本体を備え、前記ストロボ光源収納部には前記ストロボ光源からの照明光が導光されて前記読取原稿を照明する平面状の導光体が設けられ、前記ストロボ光源は前記デジタルカメラに装着されて被写体照明に用いられると共に、前記画像読取装置本体のストロボ光源部に収納されて前記読取原稿照明に用いられることを特徴とする画像読取装置。
【発明の詳細な説明】
【０００１】
【発明が属する技術分野】
本発明は、フィルム等の読取原稿に記録された画像を読み取るための画像読取装置に関する。
【０００２】
【従来の技術】
従来から現像されたフィルムの画像をパソコンで利用したりテレビで表示するために、フィルムに記録された画像をフィルムから直接読み取りを行う画像読取装置が知られている。
【０００３】
この画像読取装置には、挿入されたフィルムに記録された画像を高速に読み取る場合に、２次元画像読取手段（エリアセンサ）が用いられている。
【０００４】
【発明が解決しようとする課題】
ところで、２次元画像読取手段は、単独で撮像手段としての機能を果たすものであるから、これをフィルムの記録画像の読み取りのためだけに用いるのは利便性に欠ける。そのため、２次元画像読取装置を画像読取装置から取り外し可能とし、２次元画像読取装置単体でデジタルカメラとして使用できる画像読取装置が提案されている。しかし、このような画像読取装置には、記録画像が記録された読取原稿を照明するための照明光源が専用に設けられると共に、２次元画像読取手段にも、画像読取装置から取り外されてデシタルカメラとして使用する際に被写体を照明するための照明光源が、画像読取装置に設けられた照明光源とは別個に設けられているため、画像読取装置のコストが高くなるという問題点があった。
【０００５】
この発明は上記の事情に鑑みてなされたものであり、画像読取装置から取り外された２次元画像読取手段をデジタルカメラとして使用する際に、画像読取装置本体から取り外した照明光源をデジタルカメラの被写体照明用光源として使用することにより、照明光源の汎用性を高めてコストの低減を図り、安価な画像読取装置を提供することを目的とするものである。
【０００６】
【課題を解決するための手段】
この目的を達成するために請求項１に記載の画像読取装置は、被写体照明用のストロボ光源が分離されたデジタルカメラが読取原稿を２次元的に読み取るために着脱可能にセットされる読取手段セット部としての読取手段収納部と前記読取原稿をセットする原稿セット部と前記デジタルカメラから分離されたストロボ光源が読取原稿照明用のストロボ光源として着脱可能にセットされる光源セット部としてのストロボ光源収納部とを有する画像読取装置本体を備え、前記ストロボ光源収納部には前記ストロボ光源からの照明光が導光されて前記読取原稿を照明する平面状の導光体が設けられ、前記ストロボ光源は前記デジタルカメラに装着されて被写体照明に用いられると共に、前記画像読取装置本体のストロボ光源部に収納されて前記読取原稿照明に用いられることを特徴とする。
【００１０】
【発明の実施の形態】
図１に示すように、本発明に係る画像読取装置１の画像読取装置本体２には、記録画像が記録された読取原稿３をセットする原稿セット部４、読取原稿３を照明する照明光源５がセットされる光源セット部６、セットされた照明光源５を取り出すための照明光源取り出しボタン７、照明された読取原稿３を２次元的に読み取る２次元画像読取手段８がセットされる読取手段セット部９、画像読取装置１の操作を行うための操作部１２が設けられている。
【００１１】
光源セット部６は画像読取装置本体２の壁部に位置され、照明光源５は壁部に設けられる挿入用開口６ａより挿脱可能にセットされる。
【００１２】
２次元画像読取手段８は読取手段セット部９に着脱可能に設けられる。２次元画像読取手段８は、単体でデジタルカメラとして使用することも可能であり、その詳細については後述する。
【００１３】
ここでは、照明光源５としてストロボ光源が使用されており、図２に示すように光源セット部６に設けられる接点金具１０のコ字状溝１０ａにストロボ光源５の一端面に設けられる突起部１１を係合させつつＡ−Ａ’方向にスライドさせて着脱を行う。そのため、セットされたストロボ光源の一部は露呈された状態で設置される。
【００１４】
ストロボ光源５を画像読取装置本体２から取り出す場合には、図３に示すように照明光源取り出しボタン７を挿すことにより、取り出しバー１３が挿入され、取り出しバー１３と連係して揺動される反転レバー１４がその反対側に連設する押し出しバー１５を押し出すことによりストロボ光源５が押し出され、画像読取装置本体２から取り外される構造となっている。
【００１５】
画像読取装置本体２に挿入されたストロボ光源５は挿入方向に対し発光面１６が側方を向くように設置され、その発光面１６の正面には図４に示すように、反射板１７を介して導光体１８が平面状に広がる照明部１９が設けられており、この導光体１８平面の正面に位置する原稿セット部４に読取原稿３がセットされる。
【００１６】
ここでは読取原稿３としてフィルムが用いられており、ストロボ光源５によりフィルム３に記録された記録画像が照明され、２次元画像読取手段、ここではデジタルカメラ８により記録画像の読み取りが行われる。
【００１７】
読取手段セット部９にセットされたデジタルカメラ８は、撮像レンズ２０が原稿セット部４を介して照明部１９を正面に臨む位置に設置される。設置されたデジタルカメラ８の撮像レンズ２０は、照明部１９以外の光が入らないように遮光されており、フィルム３に記録された画像の読み取りの際に外部からの光の侵入による散乱光等の影響を受けることなく鮮明な画像の読み取りができるように設計されている。記録画像の読み取りはデジタルカメラ８の撮像部２１に設けられるエリアセンサで行われる。
【００１８】
読取手段セット部９にセットされたデジタルカメラ８は挿入完了時に画像読取装置本体２に設けられる入力端子２２と接続される。この入力端子２２は図５に示すように、インターフェース回路２３を介してシステム制御部２４に接続されている。
【００１９】
システム制御部２４は、画像読取装置１の操作を行う操作部１２、画像読取装置本体２の読取手段セット部９にセットされたデジタルカメラ８の制御を行うインターフェース回路２３、原稿セット部４にセットされたフィルム３の搬送制御を行う原稿移送機構駆動回路２５、ストロボ光源５の発光を制御する照明光源制御回路２６と接続され、フィルム３に記録された画像の読み取り、フィルム３の移動、照明光源５の発光等の制御を行う。
【００２０】
インターフェイス回路２３は、システム制御部２４、入出力端子２２のほか、入出力端子２７にもつながっており、それぞれの回路部と双方向の信号の授受を行う。
【００２１】
デジタルカメラ８が入出力端子２２と接続されると、インターフェース回路２３がその接続を検出して、システム制御部２４に接続信号を伝えることにより、システム制御部２４はフィルム３に記録された画像の読み取り作業が可能であると判断する。
【００２２】
撮影部２１により、フィルムに記録された画像の読み取りを行う場合には、システム制御部２４からインターフェース回路２３に読み取り開始信号が送られ、この信号に基づいてインターフェース回路２３が撮像部２１を制御して画像の読み取りを行う。
【００２３】
読み取られた画像は、デジタルカメラ８に設けられる記録媒体に記録されるほか、入出力端子２７を介して外部機器に出力することも可能であり、この制御もインターフェース回路２３がシステム制御部２４の信号に基づいて行う。
【００２４】
原稿移送機構駆動回路２５は、システム制御部２４からの信号に基づいて、画像読取装置本体２に設けられる原稿移送機構２８を制御して、記録画像の読み取りが行われるフィルム３を撮像部２１の撮像レンズ２０の正面に移動させる。
【００２５】
照明光源制御回路２６は図６に示すように、充電回路２９、コンデンサ３０、キセノン管３１、トリガ回路３２、及び発光時間制御回路３３から構成される。
【００２６】
システム制御部２４から充電回路２９に充電開始信号が送られると、充電回路２９はストロボ光源５のキセノン管３１の発光に必要な電荷をコンデンサー３０に蓄える。
【００２７】
この充電が終了すると充電回路２９から充電完了信号がシステム制御部２４に返信され、システム制御部２４はこの信号を受信することによりストロボ光源５の発光準備が完了したと判断する。
【００２８】
システム制御部２４からトリガ回路３２にトリガ信号が送信されると、コンデンサ３０に蓄電された電荷がキセノン管３１に流れてストロボ光源５が発光する。このとき、手動又は自動によりキセノン管３１の発光時間が設定されている場合には、所定時間後にシステム制御部２４から通電遮断信号を発光時間制御回路３３に送信して発光時間制御回路３３の通電を遮断し、キセノン管３１の発光を停止させることにより、ストロボ光源５の発光時間をコントロールする。
【００２９】
このシステム制御部２４の制御は、システム制御部２４に接続された操作部１２により行われ、この操作部１２のみで、フィルム３に記録された画像の読み取り、フィルム３の移動、ストロボ光源５の発光等すべての操作を行うことが可能となる。
【００３０】
デジタルカメラ８の撮像レンズ２０側の一隅には、図７に示すようにストロボ光源５を収める設置部３４が設けられており、その設置部には光源セット部６に設けられる接点金具１０と同じ金具が設けられている。画像読取装置本体２から取り外されたストロボ光源５は、発光面１６を撮像レンズ２０と同方向に向け、ストロボ光源５の突起部１１を接点金具１０のコ字状溝１０ａに係合させつつスライドすることによりデジタルカメラ８に着脱可能に設置される。装着されたストロボ光源５はデジタルカメラ８に電気的に接続されて撮影用光源として利用される。
【００３１】
ストロボ光源５は、デジタルカメラ８の撮影用光源として使用できる他、他のフィルム式カメラ等の照明光源として使用することも可能である。
【００３２】
以上の構成により本願発明に係る画像読取装置１では、読取原稿を照明するための照明光源５を画像読取装置本体２から取り外して、２次元画像読取手段８をデジタルカメラとして単体で使用する際の被写体用の照明光源として使用できるため、複数の照明光源を設ける必要がなくなり、照明光源５の汎用性・利便性を高めることができると共に、画像読取装置のコスト低減を図ることが可能となる。
【００３３】
また、ストロボ光源により直接フィルムを照明するのではなく、照明部１９を介して平面的に照明されるため、面照明に適さないストロボ光源５を用いてもフィルム３に記録された記録画像を均一に照明することが可能となる。
【００３４】
照明光源５に断線、故障等の不具合が生じた場合には、照明光源５が壁部に設けられる着脱用開口から容易に着脱できるため、照明光源の交換が行い易いという利点も生じる。
【００３５】
【発明の効果】
本発明に係る画像読取装置は以上説明したように、デジタルカメラとして単体で使用する際の被写体照明用のストロボ光源を読取原稿照明用の照明光源として使用できるため、照明光源の汎用性・利便性が向上すると共に、ストロボ光源とデジタルカメラとを画像読取装置本体の適正な位置に配置できるという効果を奏する。
また、平面状の導光体を介して読み取り原稿を照明するので、ストロボ光源を用いた場合でも均一照明が可能であるという効果を奏する。
更に、画像読取装置本体の内部に専用の照明光源を確保するための占有空間を設ける必要がなく、画像読取装置本体に２次元的に画像を読取る読取手段を常設する必要もなくなるので、画像読取装置の設計の自由度が増すと共に小型化が可能となり、コストダウンを図ることも可能となる。
【図面の簡単な説明】
【図１】  本発明に係る画像読取装置と画像読取装置本体にセットされるデジタルカメラ、ストロボ光源、フィルムを示した斜視図である。
【図２】  本発明に係るストロボ光源とストロボ光源が係合する接点金具とを示した斜視図である。
【図３】  画像読取装置に装填されたストロボ光源を取り出すための取り出し機構を示した図である。
【図４】  本発明に係る照明光源及び照明部を示した斜視図である。
【図５】  本発明に係る画像読取装置の各制御回路を示しているブロック図である。
【図６】  本発明に係る照明光源制御回路を示すブロック図である。
【図７】  本発明に係るデジタルカメラ及びストロボ光源を示した斜視図である。
【符号の説明】
１    画像読取装置
２    画像読取装置本体
３    読取原稿（フィルム）
５    照明光源（ストロボ光源）
８    ２次元画像読取手段（デジタルカメラ）
２３  インターフェース回路
２４  システム制御部
【図１】
0004140670.tif 000002
【図２】
0004140670.tif 000003
【図３】
0004140670.tif 000004
【図４】
0004140670.tif 000005
【図５】
0004140670.tif 000006
【図６】
0004140670.tif 000007
【図７】
0004140670.tif 000008